(57)【要約】  エポキシ接着剤などの反応性流体を混合するために用いられる静的ミキサーの効率を改善するためのアダプタ。これは、小型の静的ミキサーが利用されること、又は分注動作の最中おけるより小さいパージ流のいずれかを可能にする。
2020526391.tif 000002
【特許請求の範囲】
【請求項１】
少なくとも第１の入口ポート及び第２の入口ポートと、少なくとも第１の出口ポート及び第２の出口ポートとを有する本体を備え、
第１の流路が、前記第１の入口ポートと、前記第１の出口ポート及び前記第２の出口ポートの両方との間の流体連通をもたらし、
第２の流路が、前記第２の入口ポートと、前記第１の出口ポート及び前記第２の出口ポートの両方との間の流体連通をもたらす、
フロー分割デバイス。
【請求項２】
前記第１の流路及び前記第２の流路は、互いに隔離された前記第１の出口ポート及び前記第２の出口ポートの両方に入る、請求項１に記載のフローアダプタ。
【請求項３】
前記本体は、第１のセクション及び第２のセクションを備え、
前記第１の入口ポート及び前記第２の入口ポートは、前記第１のセクション内にあり、
前記第１の出口ポート及び前記第２の出口ポートは、前記第２のセクション内にある、
請求項１又は２に記載のフローアダプタ。
【請求項４】
少なくとも第１の組成物及び第２の組成物から形成された反応性組成物を混合及び送達するためのシステムであって、
第１の分注ポート及び第２の分注ポートをそれぞれ有する、前記第１の組成物及び前記第２の組成物のための第１の供給部及び第２の供給部と、
フロー分割アダプタと、を備え、前記フロー分割アダプタは、
少なくとも第１の入口ポート及び第２の入口ポートを有する本体であって、各入口ポートが少なくとも２つの出口ポートに対応し、それらと流体連通しており、前記第１の入口ポート及び前記第２の入口ポートが、前記第１の分注ポート及び前記第２の分注ポートとそれぞれ嵌合するように適合されている、本体と、
前記第１の出口ポート及び前記第２の出口ポートと分離可能に嵌合するように適合された静的ミキサーと、
を備える、システム。
【請求項５】
前記反応性組成物がエポキシを含む、請求項４に記載のシステム。
【請求項６】
フロー分割デバイスを作製する方法であって、前記方法は、
少なくとも第１の入口ポート及び第２の入口ポートと、少なくとも第１の出口ポート及び第２の出口ポートとを有する本体を製造することを含み、
第１の流路が、前記第１の入口ポートと、前記第１の出口ポート及び前記第２の出口ポートの両方との間の流体連通をもたらし、
第２の流路が、前記第２の入口ポートと、前記第１の出口ポート及び前記第２の出口ポートの両方との間の流体連通をもたらす、方法。
【請求項７】
前記第１の流路及び前記第２の流路は、互いに隔離された前記第１の出口ポート及び前記第２の出口ポートの両方に入る、請求項６に記載の方法。
【請求項８】
製造することが、積層造形プロセスを用いることを含む、請求項６又は７に記載の方法。
【請求項９】
製造することが、射出成形を含む、請求項６又は７に記載の方法。
【発明の詳細な説明】
【技術分野】
【０００１】
本開示は、概して、複数の液体ストリームの搬送に関し、より詳細には、複数の供給源と静的ミキサーとの間で反応性液体を搬送するためのアダプタに関する。
【背景技術】
【０００２】
特定の工業的及び商業的プロセスは、第１及び第２の組成物から形成された反応性混合物、例えば、エポキシ樹脂及び硬化剤から形成された接着剤の混合及び送出を含む。しばしば見られる一構成では、二重カートリッジシリンジが静的混合及び塗布ノズルに嵌合されている。第１及び第２の組成物が二重カートリッジシリンジから分注される場合、それらが静的ミキサーを通って通過することは、混合物が静的ミキサーを出た後に、ワークピースに塗布するために、十分な混合及び実質的に完全な反応を確実にする。
【０００３】
このような機構の欠点は、静的ミキサーを通る第１及び第２の組成物の輸送中に、反応が連続的に生じることである。例えば、作業者が、２液型エポキシを適用している最中にブレーキを掛けた場合に多く生じるように、液体の流れが分注イベントの間で停止した場合でも、２つの組成物間の反応は停止しない。混合された反応物質の分注の間隔が長くなると、反応が完了してしまうことになる。多くのこのような組成物は硬化反応を受けるので、これは静的ミキサーを害し、その交換を必要とすることになる。この問題を回避するために、時として、混合された反応物質の分注の間隔が長くなる場合、塗布者は、組成物のパージ流を連続的に流す機構を用いることになる。しかし、これは通常、パージ流を構成する組成物を無駄に使用する。
【発明の概要】
【０００４】
本開示は、このような二重流体供給源と、静的ミキサーとの間に配置することができるアダプタを提供する。このアダプタは、互いに隔離された流れを静的ミキサーへ送出する前に、ある程度の流れの分割を達成する。この予備的な分割により、いくつかの実施形態では、静的ミキサーは、より小さい体積及び／又はより少数の混合要素を有するが、それでも依然として十分に混合することができる。これにより、ミキサーを存続可能に保つために必要なパージ流の量もまた、はるかにより小さいという利益がもたらされる。
【０００５】
一態様では、本開示は、少なくとも第１の入口ポート及び第２の入口ポートと、少なくとも第１の出口ポート及び第２の出口ポートとを有する本体を備えるフロー分割デバイスであって、第１の流路が、第１の入口ポートと、第１の出口ポート及び第２の出口ポートの両方との間の流体連通をもたらし、第２の流路が、第２の入口ポートと、第１の出口ポート及び第２の出口ポートの両方との間の流体連通をもたらす、フロー分割デバイスを提供する。多くの好都合な実施形態では、第１の流路及び第２の流路は、互いに隔離された第１の出口ポート及び第２の出口ポートの両方に入る。また、多くの好都合な実施形態では、本体は、第１のセクション及び第２のセクションを備え、第１の入口ポート及び第２の入口ポートは第１のセクション内にあり、第１の出口ポート及び第２の出口ポートは第２のセクション内にある。このような構成は、第１のセクション及び第２のセクションの射出成形が企図される場合に特に好都合である。
【０００６】
第２の態様では、本開示は、第１の組成物及び第２の組成物から形成された反応性組成物を混合及び送達するためのシステムであって、第１の分注ポート及び第２の分注ポートをそれぞれ有する、第１の組成物及び第２の組成物のための第１の供給部及び第２の供給部と、フロー分割アダプタとを備え、フロー分割アダプタは、少なくとも第１の入口ポート及び第２の入口ポートを有する本体であって、各入口ポートが少なくとも２つの出口ポートに対応し、それらと流体連通しており、第１の入口ポート及び第２の入口ポートが、第１の分注ポート及び第２の分注ポートとそれぞれ嵌合するように適合されている、本体と、第１の出口ポート及び第２の出口ポートと分離可能に嵌合するように適合された混合ノズルと、を備える、システムを提供する。
例示的実施形態の列挙
実施形態Ａ．少なくとも第１の入口ポート及び第２の入口ポートと、少なくとも第１の出口ポート及び第２の出口ポートとを有する本体を備えフロー分割アダプタであって、
第１の流路が、第１の入口ポートと、第１の出口ポート及び第２の出口ポートの両方との間の流体連通をもたらし、
第２の流路が、第２の入口ポートと、第１の出口ポート及び第２の出口ポートの両方との間の流体連通をもたらす、
フロー分割デバイス。
実施形態Ｂ．第１の流路及び第２の流路が、互いに隔離された第１の出口ポート及び第２の出口ポートの両方に入る、実施形態Ａに係るフローアダプタ。
実施形態Ｃ．本体が第１のセクション及び第２のセクションを備え、
第１の入口ポート及び第２の入口ポートが第１のセクション内にあり、
第１の出口ポート及び第２の出口ポートが第２のセクション内にある、
実施形態Ａ又はＢに係るフローアダプタ。
実施形態Ｄ．第１の組成物及び第２の組成物から形成された反応性組成物を混合及び送出するためのシステムであって、
第１の分注ポート及び第２の分注ポートをそれぞれ有する、第１の組成物及び第２の組成物のための第１の供給部及び第２の供給部と、
フロー分割アダプタと、を備え、フロー分割アダプタは、
少なくとも第１の入口ポート及び第２の入口ポートを有する本体であって、各入口ポートが少なくとも２つの出口ポートに対応し、それらと流体連通しており、第１の入口ポート及び第２の入口ポートが、第１の分注ポート及び第２の分注ポートとそれぞれ嵌合するように適合されている、本体と、第１の出口ポート及び第２の出口ポートと分離可能に嵌合するように適合された静的ミキサーとを備える、システム。
【０００７】
以上が本開示の例示的な実施形態の様々な態様及び利点の概要である。上記の「発明の概要」は、本開示の特定の例示的な実施形態の、図示される各実施形態又は全ての実現形態を説明することを意図するものではない。以下の図面及び「発明を実施するための形態」は、本明細書に開示される原理を使用する特定の好ましい実施形態を、より詳細に例示するものである。
【図面の簡単な説明】
【０００８】
以下の本開示の様々な実施形態の詳細な説明を添付図面と併せて検討することで、本開示をより完全に理解し得る。
【０００９】
【図１】本開示に係る反応性組成物の混合及び送出のためのシステムの平面分解図である。
【００１０】
【図２】図１のフロー分割アダプタの一実施形態の斜視図である。
【００１１】
【図３】内部構造の隠れ線が顕示された、図２と同様の側面図である。
【００１２】
【図４】図３における切断線４−４に沿って見た、傾けた、図３のフロー分割アダプタの第２の部分の斜視図である。
【００１３】
図面において、類似の参照符号は類似の要素を表す。必ずしも原寸に比例していない上記に特定した図面は、本開示の様々な実施形態を説明しているが、「発明を実施するための形態」で指摘するように、他の実施形態もまた企図される。全ての場合に、本開示は、本明細書で開示される開示内容を、明示的な限定によってではなく、例示的な実施形態を示すことによって説明する。本開示の範囲及び趣旨に含まれる多くの他の修正及び実施形態が、当業者によって考案され得ることを理解されたい。
【発明を実施するための形態】
【００１４】
以下の定義された用語の用語解説に関して、これらの定義は、特許請求の範囲又は本明細書の他の箇所において異なる定義が提供されていない限り、本出願全体について適用されるものとする。
【００１５】
用語解説
ある特定の用語が、本明細書及び特許請求の範囲の全体を通して使用されており、これらの大部分については周知であるが、何らかの説明が必要とされる場合もある。本明細書において使用される場合、以下のとおりであることが理解されるべきである。
【００１６】
用語「（コ）ポリマー」（単数又は複数）は、ホモポリマー及びコポリマー、並びに、例えば、共押出しにより、又は例えば、エステル交換反応を含む反応により、混和性配合物において形成され得るホモポリマー又はコポリマーを含む。「コポリマー」という用語は、ランダム、ブロック、及び星型（例えば樹枝状）コポリマーを含む。
【００１７】
特定の層に関する「接近する」という用語は、２つの層が互いに隣り合い（すなわち、隣接し）かつ直接接触しているか、又は互いと近接してはいるが直接接触はしていない（すなわち、これらの層の間に１つ以上の追加的な層が介在している）位置において、別の層と接合しているか、又はそれに取付けられていることを意味する。
【００１８】
開示されるコーティングされた物品における様々な要素の場所について、配向の用語、例えば「〜の上に（atop）」、「〜上に（on）」、「〜の上方に（over）」、「〜を覆う（covering）」、「最上部の（uppermost）」、「〜の下にある（underlying）」などを使用することによって、水平に配置され、上を向いた基材に対する、要素の相対位置について言及する。しかしながら、別途指示のない限り、基材又は物品は、製造中又は製造後において何らかの特定の空間的向きを有するべきであるということが意図されるわけではない。
【００１９】
数値又は形状への言及に関する用語「約」又は「おおよそ」は、数値又は特性若しくは特徴の±５パーセントを意味するが、明示的に、正確な数値を含む。例えば、「約」１Ｐａ−ｓｅｃの粘度とは、０．９５〜１．０５Ｐａ−ｓｅｃの粘度を指すが、正確に１Ｐａ−ｓｅｃの粘度もまた明示的に含む。
【００２０】
特性又は特徴に関する用語「実質的に」は、その特性又は特徴が、その特性又は特徴の反対のものが呈される程度よりも高い程度で呈されることを意味する。例えば、「実質的に」透明な基材は、それが透過しない（例えば、吸収する及び反射する）放射線よりも多くの放射線（例えば、可視光）を透過する基材を指す。それゆえに、その表面上に入射する可視光のうちの５０％より多くを伝達する基材は、実質的に透明であるが、その表面上に入射する可視光のうちの５０％以下を伝達する基材は、実質的に透明ではない。
【００２１】
本明細書及び添付の実施形態において使用されるとき、単数形「ａ」、「ａｎ」及び「ｔｈｅ」は、特に内容により明確な指示がない限り、複数の対象を含む。したがって、例えば「化合物（a compound）」を含有する微細繊維への言及は、２種以上の化合物の混合物を含む。本明細書及び添付の実施形態において使用されるとき、用語「又は」は、その内容が特に明確に指示しない限り、一般的に「及び／又は」を包含する意味で用いられる。
【００２２】
本明細書中で使用されるとき、端点による数値範囲の記述は、その範囲内に包含される数の全てを含む（例えば、１〜５は、１、１．５、２、２．７５、３、３．８、４、及び５を含む）。
【００２３】
特に指示がない限り、本明細書及び実施形態で使用する量又は成分、特性の測定値などを表す全ての数は、全ての場合において、「約」という用語によって修飾されていると理解するものとする。これに応じて、特に指示がない限り、前述の明細書及び添付の実施形態の列挙において示す数値パラメータは、本開示の教示を利用して当業者が得ようとする所望の特性に応じて変化し得る。最低でも、各数値パラメータは少なくとも、報告される有効桁の数に照らして端数処理技術を適用することにより解釈されるべきであるが、このことは請求項記載の実施形態の範囲への均等論の適用を制限しようとするものではない。
【００２４】
本開示の例示的な実施形態は、本開示の趣旨及び範囲を逸脱することなく、様々な修正及び変更を採ってもよい。したがって、本開示の実施形態は、以下に記載の例示的な実施形態に限定されるものではないが、特許請求の範囲に記載されている限定及びそれらの任意の均等物により支配されるものであることを理解すべきである。
【００２５】
例示的な装置及びプロセス
以下に、本開示の様々な例示的実施形態を、図面を具体的に参照しながら説明する。
【００２６】
次に図１を参照すると、本開示に係る反応性組成物の混合及び送出のためのシステム２０の平面分解図が示されている。システム２０は、第１の組成物及び第２の組成物のための第１の供給部２２及び第２の供給部２４を含む。図示の実施形態では、これらの供給部は二重シリンジ２６に統合されている。本実施形態では、第１の組成物及び第２の組成物は、二重プランジャ２８の作用によって第１の供給部２２及び第２の供給部２４から推進される。ただし、この作用を達成するための他の方策も通常の実施者に既知であろう。第１の供給部２２及び第２の供給部２４は第１の分注ポート３０及び第２の分注ポート３２をそれぞれ有する。本実施形態では、二重シリンジ２６は第１の係止突出部３４及び第２の係止突出部３６を有する。これらは、解放可能な取り付けを提供するために、コネクタ４２上の係止フランジ３８及び４０と相互作用する役割を果たす。コネクタ４２は、今度は静的ミキサー５０と解放可能に接続することができる。コネクタ４２は、以下において図２に関連してより具体的に説明されるように、フロー分割アダプタ４４を受容し、二重シリンジ２６及び静的ミキサー５０と流体連通してそれを保持するように内部が成形されている。
次に図２を参照すると、フロー分割アダプタ４４の代替実施形態の斜視図が示されている。フロー分割アダプタ４４は、分割線６０ｃにおいて好都合に接合された第１の部分６０ａ及び第２の部分６０ｂを有する本体を含む。第１の部分６０ａは第１の入口ポート６２及び第２の入口ポート６４を含む。図示の実施形態では、第１の部分６０ａは、例えば、二重シリンジに目印をつけ、及び／又はそれとインタロックするためのスタッド６６及び６８を含む。第２の部分６０ｂは、図１において見られるような静的ミキサーとのインターフェースとなることができる第１の出口ポート７２及び第２の入口ポート７４を含む。
【００２７】
フロー分割アダプタ４４は、一実施形態では、好適なポリマー材料、金属、セラミック、又はこれらの複合材料の組み合わせで構成される。一実施形態では、それは、３Ｄプリンティングとしても知られる積層造形（additive manufacturing）プロセスによって製造してもよい。フロー分割アダプタの設計に応じて、それはまた、熱可塑性材料、熱硬化性材料、光硬化ポリマー、金属等を用いて、射出成形によって作製してもよい。代替的に、フロー分割アダプタは、後に溶解される材料の上に射出成形してもよい。または、それは半組立品として製作することができ、その後、好適な方法によって（例えば、接着剤、溶接、圧迫、機械的結合、レーザ溶接等によって）それらの半組立品を互いに接合することができるであろう。加えて、フロー分割アダプタの製造は、３Ｄ焼結又は選択的レーザ焼結を利用してもよい。一実施形態では、本明細書において説明されるとおりのフロー分割アダプタを作製するプロセスは、積層造形プロセスを用いて、少なくとも第１の入口ポート及び第２の入口ポートと、少なくとも第１の出口ポート及び第２の出口ポートとを有する本体であって、第１の流路が、第１の入口ポートと、第１の出口ポート及び第２の出口ポートの両方との間の流体連通をもたらし、第２の流路が、第２の入口ポートと、第１の出口ポート及び第２の出口ポートの両方との間の流体連通をもたらす、本体を構築することを含む。
【００２８】
次に図３を参照すると、図２のフロー分割アダプタ４４の側面図が示されており、内部構造の隠れ線だけが表されている。図示の実施形態では、第１の入口６２は、例えば、二重シリンジとのテーパシールを好都合に形成するためのテーパ状の壁６２’を有する。第１の流路８２が、第１の入口ポート６２と、第１の出口ポート７２及び第２の出口ポート７４の両方との間の流体連通をもたらす。第１の流路８２は４つのセクションを好都合に含む。第１のセクション８２ａは第１の入口６２から第２のセクション８２ｂへ流体を搬送する。第２のセクション８２ｂは、流れを分割し、第３及び第４のセクション８２ｃ及び８２ｄへ送出するマニホールドである。第３及び第４のセクション８２ｃ及び８２ｄは出口ポート７２及び７４とそれぞれ流体連通している。図示の実施形態では、第１及び第２の出口７２及び７４は、例えば、静的ミキサーとのテーパシールを好都合に形成するためのテーパ状の壁７２’及び７４’をそれぞれ有する。
【００２９】
第２の流路８４が、第２の入口ポート６４（本図では第１の入口ポート６２の向こう側に隠れている）と、第１の出口ポート７２及び第２の出口ポート７４の両方との間の流体連通をもたらす。第２の流路８４は４つのセクションを好都合に含む。第１のセクション８４ａ（本図では第１のセクション８２ａの向こう側に隠れている）は第１の入口６４から第２のセクション８４ｂへ流体を搬送する。第２のセクション８４ｂは、流れを分け、それを第３及び第４のセクション８４ｃ及び８４ｄへ送出するマニホールドである。第３及び第４のセクション８４ｃ及び８４ｄは出口ポート７２及び７４とそれぞれ流体連通している。
【００３０】
次に図４を参照すると、図３における切断線４−４に沿って見た、若干傾けた、図３のフロー分割アダプタ４４の第２の部分６０ｂの斜視図が示されている。本図では、第２のセクション８２ｂ及び８４ｂの構成がより都合よく視覚化されている。
【００３１】
図示の実施形態では、多くの好都合な実施形態の場合のように、第３のセクション８２ｃ及び８４ｃ内の流体の流れは、それらが第１の出口ポート７２との静的ミキサーのテーパ嵌め合い内へ放出するまで、完全に分離した状態に保たれる。同様に、第４のセクション８２ｃ及び８４ｃ内の流体の流れは、それらが第１の出口ポート７４との静的ミキサーのテーパ嵌め合い内へ放出するまで、完全に分離した状態に保たれる。これは、２つの流体の間の任意の反応がフロー分割アダプタ４４内で発生することを防止する。したがって、たとえ、静的ミキサーが分注動作中に交換が必要になった場合であっても、アダプタは依然として使用可能であることになる。
【００３２】
追加の予備混合が望ましいと判明した場合には、２つ以上の流路が入口ポートで始まり、各々、同じ出口ポートに別個に到達するように定められた諸実施形態が可能である。全ての流れは、それらのそれぞれの出口ポートにおいて終了する時に、互いに隔離されたままであることが依然として望ましい。
【００３３】
本開示の例示的実施形態の操作は、以下の詳細な非限定的実施例に関して更に説明される。これらの実施例は、様々な具体的な好ましい実施形態及び技術を更に示すために提供される。しかしながら、本開示の範囲内に留まりつつ、多くの変更及び修正を加えることができるということが理解されるべきである。
【実施例】
【００３４】
これらの実施例は単に例示を目的としたものであり、添付の特許請求の範囲を過度に限定することを意図しない。
【００３５】
実施例１
図２に全般的に示したとおりの装置を組み立てた。従来の積層造形技法を用いてフロー分割アダプタを製作した。Ｓｔ．Ｐａｕｌ，ＭＮの３Ｍ  ＣｏｍｐａｎｙからＤＰ４０５ＬＨ  Ｂｌａｃｋとして市販されている２液型エポキシ接着剤を充填した二重シリンジをフロー分割アダプタの入口ポートに結合した。Ｗｉｎｔｅｒｔｈｕｒ，ＣＨのＳｕｌｚｅｒ  ＡＧからＭＩＸＰＡＣとして市販されているＴ−ミキサー型静的ミキサーのいくつかの長さをフロー分割アダプタの出口ポートに順に接続した。
【００３６】
静的ミキサーの各長さについて、試験を行い、プランジャ上の背圧を測定しながら、金属プレート上にエポキシ接着剤を分注した。フロー分割アダプタを用いずに、対照分注を同様に実行した。接着剤が硬化する前に各金属プレートを同様のプレートに接着させ、接着の剪断強度の引張り試験を実行した。剪断強度は、２液型接着剤の２つの部分の混合の完全性の代理と見なされる。
【００３７】
所与の分注速度に対して、背圧は、試験サンプルについては、その対照群と比べて約５〜１０パーセント以内であることが見出された。静的ミキサーの任意の所与の長さに対して、接着の剪断強度は、フロー混合アダプタを用いた実行については、その対照群の場合よりも著しく高かった。代替的に、本開示に係るフロー分割アダプタが用いられるときには、同じ硬化度に対して、はるかにより小型の静的ミキサーがうまく利用され得ると言えるであろう。
【００３８】
本明細書全体を通して、「一実施形態」、「特定の実施形態」、「１つ以上の実施形態」、又は「実施形態」に対する言及は、「実施形態」という用語の前に、「例示的な」という用語が含まれているか否かに関わらず、その実施形態に関連して説明される具体的な特徴、構造、材料、又は特性が、本開示の特定の例示的な実施形態のうちの少なくとも１つの実施形態に含まれることを意味する。それゆえに、本明細書全体を通して様々な箇所にある「１つ以上の実施形態においては」、「特定の実施形態においては」、「一実施形態においては」又は「実施形態においては」といった語句の出現は、必ずしも本開示の特定の例示的な実施形態の同一の実施形態に言及しているわけではない。更に、特定の特徴、構造、材料、又は特性は、１つ以上の実施形態では任意の好適な方法で組み合わされてもよい。
【００３９】
本明細書ではいくつかの例示的な実施形態について詳細に説明してきたが、当業者には上述の説明を理解した上で、これらの実施形態の修正形態、変形形態、及び均等物を容易に想起できることが、諒解されるであろう。したがって、本開示は、ここまで説明してきた例示的実施形態に、過度に限定されるものではないことを理解されたい。特に、本明細書で使用する場合、端点による数値範囲の列挙は、その範囲内に包含される全ての数を含む（例えば、１〜５は、１、１．５、２、２．７５、３、３．８０、４、及び５を含む）ことが意図される。加えて、本明細書で使用されるすべての数は、用語「約」によって修飾されるものと想定される。
【００４０】
更には、本明細書で参照される全ての刊行物及び特許は、個々の刊行物又は特許を参照により組み込むことが詳細かつ個別に指示されている場合と同じ程度に、それらの全容が参照により組み込まれる。様々な例示的な実施形態について説明してきた。これらの実施形態及び他の実施形態は、以下の特許請求の範囲に含まれる。
【図１】
2020526391.tif 000003
【図２】
2020526391.tif 000004
【図３】
2020526391.tif 000005
【図４】
2020526391.tif 000006
【国際調査報告】
2020526391.tif 000007